(57)【要約】      （修正有）【課題】湿気による影響を受けることが無いとともに、長期間の使用によっても汚れることが無い、段ボールシートを提供する。【解決手段】波型に加工した中芯２と、中芯２の表裏面に接着したライナー３と、ライナー３における反中芯側の面に形成したコーティング層４と、を具備した段ボールシート１である。コーティング層４は、珪藻土とチタンアパタイトを混ぜ合わせて製造したコーティング材をライナー３の反中芯側表面に塗布することで形成した。珪藻土の分解消臭効果、抗酸化作用等によって、中芯２やライナー３が湿気により悪影響を受けることを防止するのみならず室内の除湿、消臭等を行うことも可能である。また、光触媒の作用によって段ボールシート１に付着した汚れを分解して段ボールシート１が汚れることを防止可能である。【選択図】図２
0003186141.tif 000002
【実用新案登録請求の範囲】
【請求項１】
波型に加工した中芯（２）と、
該中芯（２）の表裏面に接着したライナー（３）と、
該ライナー（３）における反中芯（２）側の面に形成したコーティング層（４）と、を具備した段ボールシートであって、
前記コーティング層（４）は、珪藻土と光触媒を混ぜ合わせて製造したコーティング材を前記ライナー（３）の反中芯（２）側表面に塗布することで形成した、ことを特徴とする段ボールシート。
【請求項２】
前記コーティング材は、珪藻土とチタンアパタイトを混ぜ合わせて製造したコーティング材であることを特徴とする請求項１に記載の段ボールシート。
【請求項３】
前記中芯（２）及びライナー（３）が紙製であることを特徴とする請求項１又は２に記載の段ボールシート。
【考案の詳細な説明】
【技術分野】
【０００１】
本考案は芯材とこの芯材の表裏面に備えたカバー材を有する段ボールシートに係り、より詳しくは、湿気による影響を受けることが無いとともに、長期間経過しても汚れることが無い段ボールシートに関する。
【背景技術】
【０００２】
従来から、各種分野において、包装資材や養生材として段ボールシートが用いられており、また、この段ボールシートを加工することで段ボール箱や置物が製造されている。
【０００３】
ここで、段ボールシートとは一般的に、波型に加工した紙製の中芯の表裏面に紙製のライナーを接着することにより構成されており、これを各種のシートや箱、置物の素材として用いた場合には、使用後にこれをリサイクルすることが可能であり、また焼却した場合でも有害物質を排出することも無く、地球環境にも貢献することが可能である。
【０００４】
しかしながら、従来から提供されている段ボールは、湿気等に弱く、湿気の影響により反り等を起こしてしまうという問題点も指摘されていた。
【０００５】
そこで、本考案者は過去において、芯材の表裏面及びライナーとしてのカバー材の表裏面に防湿及び防水性の皮膜層を形成した紙段ボールを提案しており、この紙段ボールによれば、湿気等の影響を抑えることができ、これにより反りを防止することが可能である。
【先行技術文献】
【特許文献】
【０００６】
【特許文献１】実用新案登録第３１２３１０４号公報
【考案の概要】
【考案が解決しようとする課題】
【０００７】
ところで、前述の従来の段ボールシートでは、湿気の影響を抑えることはできるが、長期間の使用による汚れを防止することは不可能である。そのために、例えば従来の段ボールシートを屋内等において敷物として使用している場合には、長期間の経過によって段ボールシートが汚れてしまった場合には見栄えが悪いという問題点が考えられる。
【０００８】
また、従来の段ボールシートにより段ボール箱を作り、この段ボール箱を荷物の運搬用、収容用として使用した場合においては、目的を果たした後にすぐに分解してしまう場合には別だが、物を収容したままの状態で長期間保管しているときには、特に人目につく場所に置いてある場合には見栄えが悪いという問題点も考えられる。
【０００９】
更に、従来の段ボールを用いて置物を製造して室内に飾っている場合なども、長期間の経過によってその置物が汚れてしまった場合にも、見栄えが悪いという問題点が考えられる。
【００１０】
そこで、本考案は、湿気による影響を受けることが無いとともに、長期間の使用によっても汚れることが無い、段ボールシートを提供することを課題としている。
【課題を解決するための手段】
【００１１】
本考案の段ボールシートは、
波型に加工した中芯と、
該中芯の表裏面に接着したライナーと、
該ライナーにおける反中芯側の面に形成したコーティング層と、を具備した段ボールシートであって、
前記コーティング層は、珪藻土と光触媒を混ぜ合わせて製造したコーティング材を前記ライナーの反中芯側表面に塗布することで形成した、ことを特徴としている。
【考案の効果】
【００１２】
本考案の段ボールシートでは、ライナーにおける反中芯側の面にコーティング層を形成しているとともに、このコーティング層は、珪藻土と光触媒を混ぜ合わせて製造したコーティング材をライナーにおける反中芯側表面に塗布することで形成している。
【００１３】
そのために、本考案の段ボールシートでは、ライナーの反中芯側の面に形成したコーティング層が珪藻土と光触媒の双方の効果を発揮することができる。即ち、珪藻土は吸湿機能を有するために、このコーティング層が湿気等を吸収することで、ライナーや中芯が湿気を吸収して反り等を起こしてしまうことを防止することができる。
【００１４】
また、光触媒は汚れ等を吸着して分解する機能を有するために、コーティング層が汚れを吸着して分解することで、長期間の使用によっても、段ボールシートが汚れることが無い。
【図面の簡単な説明】
【００１５】
【図１】本考案の段ボールシートの実施例の正面図である。
【図２】図１におけるＡ−Ａ線断面構造を示した図である。
【考案を実施するための形態】
【００１６】
本考案の段ボールシートでは、波型に加工した中芯と、この中芯の表裏面に接着したライナーとを具備しており、ライナーにおける反中芯側の面にはコーティング層が形成されている。
【００１７】
そして、ライナーの反中芯側の面に形成されているコーティング層は、珪藻土と光触媒を混ぜ合わせて製造したコーティング材を、ライナーの反中芯側の面に塗布することで形成している。
【００１８】
ここで、コーティング材は、珪藻土とチタンアパタイトを混ぜ合わせて製造するとよく、これにより、チタンアパタイトが有する優れた吸着力によって、段ボールシートに付着した汚れ、菌等をほとんど分解することが可能となる。
【００１９】
また、前記中芯及びライナーとしては、紙製の中芯、ライナーを用いるとよく、これにより、焼却した場合でも有害物質を排出することが無い段ボールシートを得ることができる。
【実施例１】
【００２０】
本考案の段ボールシートの実施例について図面を参照して説明すると、図１は、本実施例の段ボールシートの正面図であり、また、図２は、図１におけるＡ−Ａ線断面構造を示した図である。
【００２１】
そして、図において１が本実施例の段ボールシートであり、本実施例の段ボールシート１は、紙段ボールとしており、紙製の中芯と、この中芯の表裏面に備えられた紙製のライナーとを具備して構成されている。
【００２２】
即ち、図２において２が中芯であり、本実施例において前記中芯２は、一般的な紙段ボールと同様に、主に古紙を用いて製造された多層抄きの板紙であり、波型に加工されている。
【００２３】
そして、この中芯２の表裏面には、前記中芯２と同様に、主に古紙を中心として製造された多層抄きの板紙からなるライナー３が接着されている。
【００２４】
次に、図において４はコーティング層である。即ち、本実施例の段ボールシート１では、前記ライナー３における反中芯側の面にコーティング層４が形成されており、このコーティング層４の存在により、吸湿、防汚作用を発揮することを可能としている。
【００２５】
ここで、前記コーティング層４について説明すると、本実施例において前記コーティング層４は、珪藻土と光触媒を混ぜ合わせて製造したコーティング材を、ライナー３における反中芯側の面に塗布することで形成しており、光触媒としては、アパタイト結晶中に酸化チタンを導入して製造されるチタンアパタイトを用いている。
【００２６】
従って、本考案の段ボールシート１では、ライナー３の反中芯側の面に形成した前記コーティング層４の作用により、ライナー３や中芯２が湿気を吸収して反り等を起こしてしまうことを防止することができ、更に、光触媒が段ボールに付着した汚れを分解するために、長期間の使用によっても汚れることが無い。
【００２７】
即ち、珪藻土は吸湿機能が大きいために、この珪藻土とチタンアパタイトを混ぜ合わせて製造したコーティング材を塗布して形成したコーティング層を備えた本実施例の段ボールシートでは、珪藻土を含むコーティング層４が室内等の湿気を吸収するために、中芯２やライナー３が湿気を吸収してしまい反り等を起こすことを防止することができる。
【００２８】
また、珪藻土は吸湿機能が大きいとともに自律的に呼吸するために半永久的に調湿機能を発揮することができ、更に生活臭や有害物質を吸着、脱臭する働きがあることが知られているため、本実施例の段ボールシート１あるいはこの段ボールシート１を用いて作った置物や箱等を室内に置いておくことで、珪藻土の作用により、コーティング層４が室内の余分な湿気を吸収して室内の湿度を自動的に調節することができるとともに、室内に漂う化学物質や悪臭を分解、消臭することもできる。
【００２９】
また、周知のようにチタンアパタイトは、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つために、このチタンアパタイトを珪藻土と混ぜ合わせて製造したコーティング材を塗布して形成したコーティング層を備えた本実施例の段ボールシートでは、コーティング層４に付着した汚れや菌等をほとんど分解することができるために、長期間の使用によっても汚れることが無い。
【００３０】
従って、本実施例の段ボールシート１では、ライナー３における反中芯側の面に形成したコーティング層が珪藻土と光触媒の双方の効果を発揮することができるので、中芯やライナーが湿気による影響を受けることが無いとともに、長期間の使用によっても汚れることが無いという効果を有する。
【００３１】
また、本実施例の段ボールシートあるいは本実施例の段ボールシート１を用いて作った置物や箱等を室内に置いておくことで、室内の余分な湿気を吸収して室内の湿度を自動的に調節することができるとともに、室内に漂う化学物質や悪臭を分解、消臭することもできる。
【００３２】
このように、本実施例の段ボールシート１では、珪藻土とチタンアパタイトを混ぜ合わせて製造したコーティング材をライナー３における反中芯側の面に塗布することでコーティング層を形成しているために、湿気の影響で中芯やライナーが反り等を起こしてしまうことを防止できるとともに、長期間の使用によっても汚れることが無く、更に、本実施例の段ボールシートあるいは本実施例の段ボールシート１を用いて作った置物や箱等を室内に置いておくことで、室内の余分な湿気を吸収して室内の湿度を自動的に調節することができるとともに、室内に漂う化学物質や悪臭を分解、消臭することもできる。
【００３３】
なお、前記コーティング層４の形成方法は特に限定されず、スクリーン印刷やコーター印刷によってライナー３にコーティング材を塗布して、これによりライナー３における反中芯側の面にコーティング層４を形成するとよい。
【００３４】
また、前述の説明では、紙段ボールについて説明したが、本実施例の段ボールシートは、珪藻土とチタンアパタイトを混ぜ合わせて製造したコーティング材をライナー３における反中芯側の面に塗布することでコーティング層４を形成したことを特徴としており、中芯、ライナーは紙製には限定されない。従って、例えば、プラスチック製の中芯、ライナーを用いたプラスチック段ボールにおけるライナーの反中芯側の面にコーティング層を形成しても良い。
【産業上の利用可能性】
【００３５】
本考案の段ボールシートでは、珪藻土と光触媒を混ぜ合わせて製造したコーティング材によってコーティング層を形成しており、これにより、段ボールシートを構成する中芯やライナーが湿気による悪影響を受けてしまったり、長期間の使用によっても汚れてしまったりすることを防止可能としているために、段ボールシートの全般に適用可能である。
【符号の説明】
【００３６】
１    段ボールシート
２    中芯
３    ライナー
４    コーティング層
【図１】
0003186141.tif 000003
【図２】
0003186141.tif 000004